(57)【要約】【課題】母線室を塞いでいる背面板を取り外すことなく、背面側を開放できる金属閉鎖形スイッチギヤを提供する。【解決手段】箱体１内を正面側と背面側とに仕切る第１の隔壁２ａと、第１の隔壁２ａの中間部に固定され、背面側を天井側の母線室３ｂと床側のケーブル室３ｃとに仕切る第２の隔壁２ｂと、母線室３ｂの背面側の開口部３ｂ１を塞ぐ背面仕切部材２０とを有する金属閉鎖形スイッチギヤであって、背面仕切部材２０を複数枚の板を組み合せた伸縮自在の構造とし、開口部３ｂ１を開閉することを特徴とする。【選択図】  図１
2012090379.tif 000002
【特許請求の範囲】
【請求項１】
箱体内を正面側と背面側とに仕切る第１の隔壁と、
前記第１の隔壁の中間部に固定され、背面側を天井側の母線室と床側のケーブル室とに仕切る第２の隔壁と、
前記母線室の背面側の開口部を塞ぐ背面仕切部材とを有する金属閉鎖形スイッチギヤであって、
前記背面仕切部材を伸縮自在としたことを特徴とする金属閉鎖形スイッチギヤ。
【請求項２】
前記背面仕切部材は、一方が固定端、他方が自由端の蛇腹構造であることを特徴とする請求項１に記載の金属閉鎖形スイッチギヤ。
【請求項３】
前記背面仕切部材は、複数枚の板が連接するスライド構造であることを特徴とする請求項１に記載の金属閉鎖形スイッチギヤ。
【請求項４】
前記背面仕切部材を網状としたことを特徴とする請求項１乃至請求項３のいずれか１項に記載の金属閉鎖形スイッチギヤ。
【請求項５】
前記背面仕切部材を抵抗体としたことを特徴とする請求項１乃至請求項４のいずれか１項に記載の金属閉鎖形スイッチギヤ。
【発明の詳細な説明】
【技術分野】
【０００１】
本発明の実施形態は、収納機器の保守点検を容易とし得る金属閉鎖形スイッチギヤに関する。
【背景技術】
【０００２】
金属閉鎖形スイッチギヤは、図６に示すように、遮断器などの収納機器を箱体１内に収納し、電力系統の制御、保護を行うものである。箱体１内は、図示上下方向に設けられた第１の隔壁２ａ、第１の隔壁２ａの背面側の中間部に固定されたL字状の第２の隔壁２ｂによって仕切られ、正面側の遮断器室３ａ、背面側で天井側の母線室３ｂ、床側のケーブル室３ｃに分かれて構成されている。なお、遮断器室３ａの上部には、制御室３ｄ、下部には、点検室３ｅが設けられている。
【０００３】
遮断器室３ａには主回路を開閉する真空遮断器４、母線室３ｂには隣接する盤への接続を行う母線５、ケーブル室３ｃには電力ケーブル６、接続導体７、変流器８などが設けられている。第２の隔壁２ｂの背面側には、母線５の接続状態などを点検するための開口部３ｂ１を塞ぐ背面板９がボルト１０で固定されている。正面には開閉自在の正面扉１１、背面にも開閉自在の背面扉１２が設けられている（例えば、特許文献１参照。）。
【先行技術文献】
【特許文献】
【０００４】
【特許文献１】特開２００８−２８３７３４号公報
【発明の概要】
【発明が解決しようとする課題】
【０００５】
上記の従来の金属閉鎖形スイッチギヤにおいては、次のような問題がある。母線５を点検するときには、背面扉１２を開き、背面板９を取り外して母線室３ｂを開放している。背面板９は、１ｍ×１ｍ程度の大きさがあり、比較的に大形形状で重量物となる。このため、点検時に背面板９を取り外す作業、およびこれを所定の場所に運搬する作業が必要となり、点検作業を困難とさせていた。なお、母線５の点検では、通電による温度上昇の繰り返しで接続ボルトが緩むことがあるので、このトルクチェックなどがある。
【０００６】
本発明は上記問題を解決するためになされたもので、収納機器の保守点検作業を容易とし得る金属閉鎖形スイッチギヤを提供することを目的とする。
【課題を解決するための手段】
【０００７】
上記目的を達成するために、実施形態の金属閉鎖形スイッチギヤは、箱体内を正面側と背面側とに仕切る第１の隔壁と、前記第１の隔壁の中間部に固定され、背面側を天井側の母線室と床側のケーブル室とに仕切る第２の隔壁と、前記母線室の背面側の開口部を塞ぐ背面仕切部材とを有する金属閉鎖形スイッチギヤであって、前記背面仕切部材を伸縮自在としたことを特徴とする。
【図面の簡単な説明】
【０００８】
【図１】本発明の実施例１に係る金属閉鎖形スイッチギヤの構成を示す側面図。
【図２】本発明の実施例１に係る金属閉鎖形スイッチギヤの背面側の構成を示す正面図。
【図３】本発明の実施例１に係る金属閉鎖形スイッチギヤの背面仕切部材の開閉操作を説明する断面図。
【図４】本発明の実施例２に係る金属閉鎖形スイッチギヤの背面側の構成を示す正面図。
【図５】本発明の実施例２に係る金属閉鎖形スイッチギヤの背面側の構成を示す断面図。
【図６】従来の金属閉鎖形スイッチギヤの構成を示す側面図。
【発明を実施するための形態】
【０００９】
以下、図面を参照して本発明の実施例を説明する。
【実施例１】
【００１０】
先ず、本発明の実施例１に係る金属閉鎖形スイッチギヤを図１〜図３を参照して説明する。図１は、本発明の実施例１に係る金属閉鎖形スイッチギヤの構成を示す側面図、図２は、本発明の実施例１に係る金属閉鎖形スイッチギヤの背面側の構成を示す正面図、図３は、本発明の実施例１に係る金属閉鎖形スイッチギヤの背面仕切部材の開閉操作を説明する断面図である。なお、各図において、従来と同様の構成部分については、同一符号を付した。
【００１１】
図１に示すように、箱体１内は、図示上下方向の中間部に設けられた第１の隔壁２ａ、第１の隔壁２ａの背面側の中間部に固定されたL字状の第２の隔壁２ｂによって仕切られ、正面側の遮断器室３ａ、背面側で天井側の母線室３ｂ、床側のケーブル室３ｃに分かれて構成されている。なお、遮断器室３ａの上部には、制御室３ｄ、下部には、点検室３ｅが設けられている。
【００１２】
遮断器室３ａには主回路を開閉する引出形の真空遮断器４、母線室３ｂには隣接する盤への接続を行う母線５、ケーブル室３ｃには電力ケーブル６、接続導体７、変流器８などが設けられている。第２の隔壁２ｂの背面側には、開口部３ｂ１を塞ぐ上下方向に伸縮自在の背面仕切部材２０が設けられ、下部がボルト１０で固定されている。正面には開閉自在の正面扉１１、背面にも開閉自在の背面扉１２が設けられている。
【００１３】
背面仕切部材２０は、図２に示すように、金属製の複数枚の板を水平方向に並べて配置したものであり、山折り、谷折りが連続する蛇腹構造である。両側部は、断面コ字状の溝部が対向した一対のレール２１内を移動する。背面仕切部材２０の天井側が箱体１側に固定される固定端となり、床側がボルト１０で固定される自由端となる。
【００１４】
次に、背面仕切部材２０の開閉操作を図３を参照して説明する。
【００１５】
図３（ａ）は、背面扉１２と背面仕切部材２０を閉じている状態である。点検時には、図３（ｂ）に示すように、背面扉１２を開き、ボルト１０を取り外し、背面仕切部材２０を上方向に持ち上げる。即ち、背面仕切部材２０の自由端を縮めることにより、母線室３ｂの開口部３ｂ１を開放することができる。持ち上げた背面仕切部材２０は、図示しない係止金具で固定する。
【００１６】
なお、背面仕切部材２０を網状とすれば、閉じている状態においても、母線５の状態を目視することができる。更に、ニッケルクロム合金のような抵抗体とすれば、地絡時に点弧した電流を抑え、損傷を抑制することができる。
【００１７】
上記実施例１の金属閉鎖形スイッチギヤによれば、背面仕切部材２０を伸縮自在の構造としているので、これを取り外すことなく、母線室３ｂを開放することができ、保守点検作業を容易とすることができる。
【００１８】
上記実施例１では、背面仕切部材２０の固定端を天井側として説明したが、固定端を床側とし、自由端を天井側として母線室３ｂを開放することができる。更には、固定端と自由端を箱体１の側面に設けてもよい。
【実施例２】
【００１９】
次に、本発明の実施例２に係る金属閉鎖形スイッチギヤを図４、図５を参照して説明する。図４は、本発明の実施例２に係る金属閉鎖形スイッチギヤの背面側の構成を示す正面図、図５は、本発明の実施例２に係る金属閉鎖形スイッチギヤの背面側の構成を示す断面図である。なお、この実施例２が実施例１と異なる点は、背面仕切部材の構造である。各図において、実施例１と同様の構成部分においては、同一符号を付し、その詳細な説明を省略する。
【００２０】
図４に示すように、背面仕切部材２２は、金属製の複数枚の板を垂直方向に並べて配置したものであり、互いの板の端部にはコ字状の係止部２２ａが設けられている。閉じたときには、互いの係止部２２ａが咬み合い全体で板状になるようになっている。両端は、ボルト１０で固定される。また、図５に示すように、図示上下に一対のレール２３が設けられており、それぞれの背面仕切部材２２がレール２３内を移動するようになっている。このように複数枚の板を連接させるものをスライド構造と称す。
【００２１】
上記実施例２の金属閉鎖形スイッチギヤによれば、実施例１と同様の効果を得ることができる。
【００２２】
以上述べたような実施形態は、伸縮自在の背面仕切部材で母線室の開口部を塞いでいるので、この部材を取り外すことなく、母線室を開放することができ、保守点検作業を容易とすることができる。
【００２３】
以上において幾つかの実施形態を述べたが、これらの実施形態は、単に例として示したもので、本発明の範囲を限定することを意図したものではない。実際、ここにおいて述べた新規な構成は、種々の他の形態に具体化されてもよいし、さらに、本発明の主旨またはスピリットから逸脱することなく、ここにおいて述べた形態における種々の省略、置き換えおよび変更を行ってもよい。付随する請求項およびそれらの均等物は、本発明の範囲および主旨またはスピリットに入るようにそのような形態若しくは変形を含むことを意図している。
【符号の説明】
【００２４】
１  箱体
２ａ  第１の隔壁
２ｂ  第２の隔壁
３ａ  遮断器室
３ｂ  母線室
３ｂ１  開口部
３ｃ  ケーブル室
３ｄ  制御室
３ｅ  点検室
４  真空遮断器
５  母線
６  電力ケーブル
７  接続導体
８  変流器
９  背面板
１０  ボルト
１１  正面扉
１２  背面扉
２０、２２  背面仕切部材
２１、２３  レール
２２ａ  係止部
【図１】
2012090379.tif 000003
【図２】
2012090379.tif 000004
【図３】
2012090379.tif 000005
【図４】
2012090379.tif 000006
【図５】
2012090379.tif 000007
【図６】
2012090379.tif 000008